(57)【要約】【課題】  インスタントコーヒー等の粉末を詰め替え気密袋から気密容器に移し替える時に、粉末が湿気を吸収し、香りが逸散する欠点がある。またその後の開蓋時に同様の現象が起きる。【解決手段】  本発明は着脱蓋４を有する気密容器１の内部に気密袋８を収納し、気密袋８の上部に内容物の取出孔１０を設け、かつ取出孔１０を剥ぎ取り可能な蓋シール１２で密封した構成である。しかるに、気密容器１内に詰め替え用の気密袋８から内容物を移し替えるときは、気密袋８の開口部２をハサミで切り開く作業を行わず、気密袋８自体を気密容器１内に直接収納し、内容物を取り出す時は、気密袋８の取出孔１０を、その上部の蓋シール１２を手指で剥ぎ取って開口し、取出孔１０から内容物を必要量取り出す。更に、取出孔１０に自動開閉のフラップ蓋１５を設け、気密袋８内に湿気が侵入するのを阻止する。【選択図】  図２
2006188266.tif 000002
【特許請求の範囲】
【請求項１】
着脱蓋を有する気密容器の内部に気密袋を収納し、気密袋の上部に内容物の取出孔を設け、かつ取出孔を剥ぎ取り可能な蓋シールで密封してなる除湿内袋を収納した気密容器。
【請求項２】
取出孔と蓋シールの外周部を熱圧着により、剥離可能で、かつ気密状に接合してなる請求項１に記載の除湿内袋を収納した気密容器。
【請求項３】
取出孔と蓋シールの外周部を接着剤により、剥離可能で、かつ気密状に接合してなる請求項１に記載の除湿内袋を収納した気密容器。
【請求項４】
取出孔と蓋シールの外周部を熱圧着により、二重乃至三重の接着帯環により剥離可能で、かつ気密状に接合してなる請求項２に記載の除湿内袋を収納した気密容器。
【請求項５】
取出孔と蓋シールの外周部を接着剤により、二重乃至三重の接着帯環により剥離可能で、かつ気密状に接合してなる請求項３に記載の除湿内袋を収納した気密容器。
【請求項６】
一端が気密袋に弾性蝶番式に接続し、他部が取出孔の全部を開閉自在に閉塞するフラップ蓋を取出孔に設け、かつ取出孔を剥離可能な蓋シールにより密封してなる請求項１に記載の除湿内袋を収納した気密容器。
【請求項７】
取出孔を複数に区画して形成した各区画部に、フラップ蓋を互いの開閉作用を妨げることなく、しかも閉蓋時に隣接するフラップ蓋間に隙間が生じない状態で配設し、かつ取出孔を剥離可能な蓋シールにより密封してなる請求項６に記載の除湿内袋を収納した気密容器。
【請求項８】
取出孔を２分割に区画して形成した区画部に、フラップ蓋をそれぞれ配設してなる請求項７に記載の除湿内袋を収納した気密容器。
【請求項９】
取出孔６中芯点から３本以上の放射線により形成される三角形状の複数分割の区画部に、フラップ蓋をそれぞれ配設してなる請求項７に記載の除湿内袋を収納した気密容器。
【請求項１０】
気密袋を気密容器内に収納したとき、気密袋と気密容器との隙間が少なくなるように形成した請求項１に記載の除湿内袋を収納した気密容器。
【請求項１１】
気密袋を気密容器内に収納したとき、気密袋の天井部と気密容器の開口部周縁が同じ程度の高さとなるように形成した請求項１に記載の除湿内袋を収納した気密容器。
【請求項１２】
気密袋を気密容器内に収納したとき、気密袋の天井部に形成した取出孔が気密容器の開口部周縁に接近するように配置された請求項１に記載の除湿内袋を収納した気密容器。
【発明の詳細な説明】
【技術分野】
【０００１】
本発明はインスタントコーヒー、薬剤、工業用素材等の粉末物質を収納する気密容器であって、詰め替え用粉末を気密容器に移し替える時に生じる湿気の呼び込みを防止し、その後の使用時に生じる湿気の呼び込みを減少させることを目的とした詰め替え作業を必要としない除湿内袋を収納した気密容器である。
【背景技術】
【０００２】
従来からインスタントコーヒー等の粉末を詰め替え気密袋から気密容器に移し替えるときは、気密袋の上部をハサミで切り取り、ここから気密容器内に粉末を落とし込むことが行われている。
【０００３】
また、その後の頻繁な粉末の取り出しは、気密容器の蓋を取り、気密容器を傾けて適量を振り出すか、気密容器内から適量をスプーンで取り出すことが行われている。
【発明の開示】
【発明が解決しようとする課題】
【０００４】
しかしながら、この方法でインスタントコーヒー粉末等の詰め替えを行うと、粉末が気密袋から気密容器内に落下する間に、香りが空気中に逸散する。また同時に粉末が空気中の湿気を吸収する。更に、その後の頻繁な開蓋時に、大きく明いた気密容器の開口部から、その都度、湿気が気密容器内に侵入する。
【０００５】
このことは、特にインスタントコーヒー、パウダーミルク等にとって品質を損なう原因となる。時として詰め替え中に手元が狂い粉末を撒き散らすミスも起こる。本発明はこの課題を解決するために、詰め替え作業を必要としない除湿内袋を収納した気密容器を提供しようとするものである。
【課題を解決するための手段】
【０００６】
本発明は着脱蓋を有する気密容器の内部に気密袋を収納し、気密袋の上部に内容物の取出孔を設け、かつ取出孔を剥ぎ取り可能な蓋シールで密封してなる除湿内袋を収納した気密容器である。
【０００７】
更に詳しく述べると、気密容器内に詰め替え用の気密袋から内容物を移し替えるとき、気密袋の開口部をハサミで切り開く作業を行わず、気密袋自体を気密容器内に直接収納する。内容物の取り出しに関しては、気密袋の上部に必要限度の小径な取出孔を設け、かつ、その上部を気密性の蓋シールで密閉する。
【０００８】
使用にあたっては蓋シールを手指で剥ぎ取り、開口した取出孔から内容物を必要量振り出して取り出す。更に、取出孔にフラップ状の自動開閉蓋を設け、気密袋内に湿気が侵入するのを阻止する。
【発明の効果】
【０００９】
本発明は、着脱蓋を有する気密容器の内部に気密袋を収納し、気密袋の上部に内容物の取出孔を設け、かつ取出孔を剥ぎ取り可能な蓋シールで密封してなる除湿内袋を収納した気密容器であるので、従来のように詰め替え時に気密袋の上部をハサミで切り取って開口部を形成し、ここから気密容器内に内容物を落とし込む必要がない。
【００１０】
すなわち、気密容器内に収納した詰め替え用気密袋の上部の取出孔を、蓋シールを剥ぎ取ることで開口し、この小孔から必要量の内容物を振り出すことにより取り出すので、内容物を湿気にさらすマイナス要件が大幅に減少する。また同時に内容物の香り成分の逸散を防止する。更にその後の頻繁な内容部の取り出し時においても、従来のように気密容器の開口部が大きく露出することがないので、取出孔の最小限の孔径により湿気の侵入が抑制される。
【００１１】
また、取出孔を気密容器の開口部周縁の近辺で、かつ気密容器の開口部周縁と同じ高さ付近の位置取りで気密袋の天井部に設けてあるので、内容物を振り出す時に内容物が気密容器の開口部周縁に邪魔されて振り出しにくくなるという虞がない。
【００１２】
また、内容物を最後まで気密袋から残らず全量取り出せる。加えて、気密袋の形状は気密容器に収納したときに、気密袋と気密容器内部との間に隙間を出来るだけ生じないように形成してあるので、気密容器の開蓋時に気密容器内に侵入する空気が僅少となり、閉蓋時に湿気の残留が防止される。
【００１３】
また、取出孔には弾性蝶番式の自動開閉フラップ蓋を設けてあるので、気密容器を傾けた時に、このフラップ蓋が開いて内容物が取り出され、気密容器を元の状態に戻した時はフラップ蓋が閉まる。これらの開閉は自動的に行われるので、気密袋内に湿気が侵入する時間的な要素は少ない。
【００１４】
また、取出孔とフラップ蓋は切り込み線で形成されているので取出孔とフラップ蓋の隙間が極めて少ない。また、隣接するフラップ蓋とフラップ蓋の開閉動作が、擦れ合い作用等によって妨げられることもない。従って、気密袋の防湿効果が高まる。
【００１５】
取出孔とフラップ蓋は最初の使用時に手指でフラップ蓋の剥ぎ取りを行うが、この接合は手指での剥ぎ取りが容易で、かつ気密性を保持する条件のもとで、熱圧着法または接着剤を用いる方法等がとられているので、使用時までの気密袋の密封は保障される。
【００１６】
また、更に気密度を高めるために必要に応じて接合のための接着帯環を二重至三重に行うので一層密封性は高まる。
【００１７】
以上のように本発明に係る除湿内袋を収納した気密容器は多くの利点を有しているので市販のインスタントコーヒー、パウダーミルク等の詰め替え用気密容器として高い効果を発揮する。
【発明を実施するための最良の形態】
【００１８】
本発明は着脱蓋を有する気密容器の内部に気密袋を収納し、気密袋の上部に内容物の取出孔を設け、かつ取出孔を剥ぎ取り可能な蓋シールで密封してなる除湿内袋を収納した気密容器である。更に詳しく述べると、気密容器内に詰め替え用の気密袋から内容物を移し替えるとき、気密袋の開口部をハサミで切り開く作業を行わず、気密袋自体を気密容器内に直接収納する。
【００１９】
内容物の取り出しに関しては、気密袋の上部に必要限度の小径な取出孔を設け、かつ、その上部を気密性の蓋シールで密閉する。使用にあたっては蓋シールを手指で剥ぎ取り、開口した取出孔から内容物を必要量取り出す。更に、取出孔にフラップ状の自動開閉蓋を設け、気密袋内に湿気が侵入するのを阻止する。
【００２０】
以下、本発明の実施の形態について図面に基づき詳細に説明する。
【００２１】
図１、図２において、１は気密性の素材で形成した円筒状、角筒状等の気密容器で、上部に開口部２を有し、開口部２の上端に周縁３を設けてある。４は気密容器１の開口部２に冠着する着脱蓋で、水平な天板部５と垂直な環状袴部６とにより形成されている。気密容器１と着脱蓋４は、気密容器１の開口部２の外周部と、着脱蓋４の袴部６の内周部にそれぞれ複数個対応して形成した係脱凹凸条７により結合される。
【００２２】
この結合に際しては、着脱蓋４の天板部５の下面と、気密容器１の周縁３とがパッキンＡを挟んで気密状に密着する。また係脱凹凸条７は、着脱蓋４を上方より押圧すると弾性的に係合し、着脱蓋４を僅かに回転させると弾性的に解除される。なお、気密容器１と着脱蓋４の係脱方法として、通常のネジ締め式を用いることも可能である。８は気密容器１内に収納する気密袋で、内部に詰め替え用のインスタントコーヒー等の粉体１１を封入してある。気密袋８の上部開口部は折り畳んだ後に気密的に閉鎖してある。開口部を閉鎖した後に形成される気密袋８の天井部９は出来るだけ水平状とする。
【００２３】
また、気密袋８は図１２のごとくブロー成形等により一体的に成形した柔軟性の気密容器であってもよい。１０は気密袋８の天井部９に形成した取出孔で、内部の粉体１１等を振り出し易くするために気密容器１の周縁３に近い位置に設け、その孔径は内容物の性質、一回に取り出す量等を勘案して決定する。
【００２４】
更に、気密袋８の天井部９の高さを気密容器１の周縁３の高さとほぼ同一にすることにより（図面上は説明し易くするために周縁３の位置をやや高く表示してある）、取出孔１０から振り出される粉体１１が周縁３に妨げられることなく気密容器１の外に取り出されるようにする。１２は取出孔１０を密封する蓋シールで、取出孔１０の孔径よりやや大径に形成し、このシールの外周縁部の下面と取出孔１０の外周縁部の上面とを重ね、接着帯環１３により気密状に接合する。
【００２５】
接合方法は、図３に示すように、最初の使用時に蓋シール１２をそのタグ１４を手指で摘んで剥ぎ取ることが可能な接着状態とし、かつ未開封時は気密状態を保つものとする。また接着帯環１３は一周でよいが、より完全な気密状態を保持するために、間隔的に２周以上設けることも考えられる（図示せず）。
【００２６】
接着手段は熱圧着方法、接着剤を用いる等の一般的な接着方法を用いる。蓋シール１２の素材は、樹脂を含浸した紙、樹脂をコーティングした紙、または不透過性薄葉シート等が考えられる。
【００２７】
次に、図５、図６、図７、図８において本発明の他の実施例を説明する。
【００２８】
１５は気密袋８の天井部９の取出孔１０に設けたフラップ蓋で、未使用時に取出孔１０を簡易的に閉塞する。フラップ蓋１５の形状は、例えば取出孔１０の形状が、図５のように台形であれば、これと同形の台形となる。
【００２９】
この製作方法は、取出孔１０を形成するときに、気密袋８の天井部９に台形の底辺部１６を残して他の３辺に切り込み線１７を設けることによって行われる。切り残した底辺部１６はフラップ蓋１５において弾性蝶番式の作用を有する。
【００３０】
従って、図６に示すように気密容器１を傾けたときに、気密袋８の内部の粉体１１がフ
ラップ蓋１５の背面を押すことにより取出孔１０を開口し、粉体１１が外部に取り出される。気密容器１を元の水平状態に戻せば、気密袋８のプラップ蓋１５は底辺部１６の弾性蝶番式の作用で水平状態に復帰して、取出孔１０と同一面上に位置して取出孔１０を閉塞する。底辺部１６に弾性蝶番式の作用を持たせるためには、フラップ蓋１５と連続する気密袋８の天井部９の素材が、軽量でかつ弾性復元力を有する必要がある。フラップ蓋１５を天井部９に連続させないで、別体のものを添着する場合においても、その素材は軽量でかつ弾性復元力を有するものが望ましい。
【００３１】
また、添着するフラップ蓋１５は取出孔の下面に配置する方法も考えられる。図５、図７、図８に示すように、フラップ蓋１５を複数設けることも可能である。この場合は取出孔１０を複数に区画し、その各区画部にフラップ蓋１５を設けることになる。
【００３２】
例えば区画部が２個であればフラップ蓋１５は取出孔１０の中心部から切り込み線１７により左右に観音扉状に形成される。３個以上の区画部であれば、取出孔１０の中心部から、放射状に切り込み線１７を設けることにより形成される。
【００３３】
これらの構成はいずれも切り込み線１７により形成されるものであるから、フラップ蓋１５が水平状態に復帰した時は、取出孔１０または互いのフラップ蓋間１５においてほとんど隙間が生じないので防湿効果が確かなものとなる。
【００３４】
なお、気密容器１内に収納する気密袋８の形状は気密容器１内に収納したときに、気密容器１と気密袋８の間に隙間が極力出来ないようにする。これは気密容器１を着脱蓋４で閉塞した時に気密容器１内に湿気を含んだ空気が出来る限り残らないようにするためである。
【００３５】
従って、図９、図１０のように気密容器１が角筒状であれば気密袋８は気密容器１内に密着して収納される角筒状であるべきである。また、図１１、図１２のように気密容器１が円筒状であれば気密袋８も円筒状に形成する。
【００３６】
次に、本発明の使用方法を説明する。
【００３７】
先ず、最初に使用するにあたっては、着脱蓋６を気密容器１から取り外す。この時点では気密容器１内に収納された気密袋８は蓋シール１２の作用で気密が保持される。続いて蓋シール１２を、タグ１４を手指で摘み引き上げて剥ぎ取る。この時初めて僅かに空気が取出孔１０から気密容器１内に侵入する。
【００３８】
しかし、その量は少量である。次に気密容器１を取出孔１０側を下にして傾ける、すると気密袋８内の粉体１１が下方に落下する。取出孔１０にフラップ蓋１２が設けてある場合は粉体１１が自重でフラップ蓋１２を押しのけて取出孔１０から外部に落下する。気密容器１を元の状態に戻すとフラップ蓋１２も自動的に戻り取出孔１０を塞ぐ。取出しが終わったら着脱蓋６を気密容器１に圧着する。その後、引き続いて使用する場合も最初の蓋シールを取り除く作業以外は上記と同様の手順で行う。
【図面の簡単な説明】
【００３９】
【図１】本発明の一部断面図
【図２】同図１の一部拡大断面図
【図３】同図２の使用状態を示す断面図
【図４】同要部を示す一部断面図
【図５】同要部を示す平面図
【図６】同図５の使用状態を示す断面図
【図７】同他の実施例の要部を示す平面図
【図８】図７の使用状態を示す断面図
【図９】同気密容器を示す斜視図
【図１０】同気密袋を示す斜視図
【図１１】同気密容器の他の実施例を示す斜視図
【図１２】同気密袋の他の実施例を示す斜視図
【符号の説明】
【００４０】
１  気密容器
４  着脱蓋
８  気密袋
９  天井板
１０取出孔
１２蓋シール
１３接着帯環
１５フラップ蓋
【図１】
2006188266.tif 000003
【図２】
2006188266.tif 000004
【図３】
2006188266.tif 000005
【図４】
2006188266.tif 000006
【図５】
2006188266.tif 000007
【図６】
2006188266.tif 000008
【図７】
2006188266.tif 000009
【図８】
2006188266.tif 000010
【図９】
2006188266.tif 000011
【図１０】
2006188266.tif 000012
【図１１】
2006188266.tif 000013
【図１２】
2006188266.tif 000014